(57)【要約】【課題】  低費用で周辺トラックによるクロストークを防止することができるホログラフィックロムシステムを提供する。【解決手段】  出力データビームを生成するため、ホログラフィックディスクから回折した出力放射線をフィルタリングし、平行にするためのレンズ部を備え、前記レンズ部は、出力放射線を平行にするための対物レンズ、及び対物レンズと一体化されているフィルタリングフィルムを有する。【選択図】  図３
2004362751.tif 000002
【特許請求の範囲】
【請求項１】
ホログラフィックロムシステムにおいて、
ホログラム形態の情報を記録するためのホログラフィックディスクと、
前記ホログラフィックディスクに記録された情報を光学的に読み取り、これに対応する電気的信号を生成するためのピックアップモジュールと、
制御部と、
前記ピックアップモジュールから生成された電気的信号を処理するためのデータ処理装置とを含み、
前記ピックアップモジュールは、少なくとも二つの光源、及び前記少なくとも二つの光源の作動温度を測定するための温度測定装置を含み、前記温度測定装置は、測定された作動温度を示す信号を前記制御部に送信することを特徴とするホログラフィックロムシステム。
【請求項２】
前記少なくとも二つの光源は温度特性が相違したことを特徴とする請求項１に記載のホログラフィックロムシステム。
【請求項３】
前記制御部は、前記少なくとも二つの光源のなかで、第１光源は第１温度範囲で作動するようにし、第２光源は第２温度範囲で作動するように、前記少なくとも二つの光源を制御することを特徴とする請求項２に記載のホログラフィックロムシステム。
【請求項４】
前記制御部は、前記温度測定装置により測定された作動温度が第１温度範囲又は第２温度範囲に相当するかを決定することを特徴とする請求項３に記載のホログラフィックロムシステム。
【請求項５】
前記第１光源のビームと第２光源のビームが直交する位置に配設され、第１光源のビームを通過させ、第２光源のビームの少なくとも一部を９０°だけ屈折させるためのビームスプリッタをさらに含むことを特徴とする請求項４に記載のホログラフィックロムシステム。
【請求項６】
前記少なくとも二つの光源はレーザダイオードであることを特徴とする請求項５に記載のホログラフィックロムシステム。
【請求項７】
前記第１温度範囲は、１０℃以上、４０℃以下であり、第１光源は、前記第１温度範囲で中心波長が６５０ｎｍ、波長変化が５ｎｍ以下であるビームを生成し、前記第２温度範囲は、４０℃を超えて７０℃以下であり、第２光源は、前記第２温度範囲で中心波長が６５０ｎｍ、波長変化が５ｎｍ以下であるビームを生成することを特徴とする請求項６に記載のホログラフィックロムシステム。
【請求項８】
ホログラフィックロムシステムにおいて、
ホログラム形態の情報を記録するためのホログラフィックディスクと、
前記ホログラフィックディスクに記録された情報を光学的に読み取り、これに対応する電気的信号を生成するためのピックアップモジュールと、
制御部と、
前記ピックアップモジュールから生成された電気的信号を処理するためのデータ処理装置とを含み、
前記ピックアップモジュールは、少なくとも二つの光源、前記少なくとも二つの光源から生成されたビームを遮断するか又は通過を許すための少なくとも二つのシャッター装置、及び前記少なくとも二つの光源の作動温度を測定するための温度測定装置を含み、前記温度測定装置は、測定された作動温度を示す信号を前記制御部に送信することを特徴とするホログラフィックロムシステム。
【請求項９】
前記少なくとも二つの光源は温度特性が相違したことを特徴とする請求項８に記載のホログラフィックロムシステム。
【請求項１０】
前記制御部は、前記温度測定装置により測定された作動温度が第１温度範囲又は第２温度範囲に相当するかを決定し、作動温度が第１温度範囲に属する場合には第１シャッターを開け、作動温度が第２温度範囲に属する場合には第２シャッターを開けることを特徴とする請求項９に記載のホログラフィックロムシステム。
【請求項１１】
前記第１光源のビームと第２光源のビームが直交する位置に配設され、第１光源のビームを通過させ、第２光源のビームの少なくとも一部を９０°だけ屈折させるためのビームスプリッタをさらに含むことを特徴とする請求項１０に記載のホログラフィックロムシステム。
【請求項１２】
前記少なくとも二つの光源はレーザダイオードであることを特徴とする請求項１１に記載のホログラフィックロムシステム。
【請求項１３】
前記第１温度範囲は、１０℃以上、４０℃以下であり、前記第１光源は、前記第１温度範囲で中心波長が６５０ｎｍ、波長変化が５ｎｍ以下であるビームを生成し、前記第２温度範囲は、４０℃を超えて７０℃以下であり、前記第２光源は、前記第２温度範囲で中心波長が６５０ｎｍ、波長変化が５ｎｍ以下であるビームを生成することを特徴とする請求項１２に記載のホログラフィックロムシステム。
【発明の詳細な説明】
【技術分野】
【０００１】
本発明はホログラフィックロムシステム（Holographic ROM system）に関し、詳しくは、低費用で周辺トラックによるクロストーク（cross talk）を防止することができるホログラフィックロムシステムに関するものである。
【背景技術】
【０００２】
近年、高記憶容量、高速のデータ伝送速度などの理由で、ホログラフィックロムシステムがデータ記憶装置の分野で適用範囲を広げている。
【０００３】
図１は従来のホログラフィックロムシステムの概略図である。図１に示すように、従来のホログラフィックロムシステムは、スピンドルモータ２１０に着脱可能に装着され、角度多重ホログラム（ホログラムデータ）を記録する記録媒体であるホログラフィックディスク２００から光学的にホログラムデータを読み取った後、そのホログラムデータに応じて電気的信号を生成するためのピックアップモジュール１００と、このピックアップモジュール１００からの電気的信号を処理するための信号処理部１５０と、ピックアップモジュール１００及びスピンドルモータ２１０を制御するための制御部３００とを備えている。
【０００４】
ピックアップモジュール１００は、基準ビーム（参照光）を生成するためのレーザ源１０２と、レーザ源１０２から入射された基準ビームを反射部１０４に向けて反射するための、又はホログラフィックディスク２００から読み出された出力放射線を検出器１０８に向けて反射するための両面反射部１０３と、この両面反射部１０３からの基準ビームをホログラフィックディスク２００に向けて反射する反射部１０４と、ホログラフィックディスク２００のターゲットトラックからホログラムデータを読み出す際に、ターゲットトラックの周囲のトラックから余分に読み出された信号（クロストーク）を除去するために、出力放射線をフィルタリングするための絞りプレート１０５と、出力放射線を平行にして出力データビームを生成するための対物レンズ１０６と、対物レンズ１０６から両面反射部１０３を経て入射された出力データビームに対応して電気的信号を生成するための検出器１０８と、ホログラフィックディスク２００に対して半径方向にピックアップモジュール１００をスライド移動させるためのアクチュエータ１０１と、対物レンズ１０６の垂直位置を調整するためのレンズアクチュエータ１０７とを備えている。アクチュエータ１０１及びレンズアクチュエータ１０７は制御部３００により制御される。
【０００５】
ホログラフィックディスク２００に記録されたデータを再生するプロセスにおいて、レーザ源１０２により生成された基準ビームは両面反射部１０３と反射部１０４により反射されて、データ記録プロセスで使用された基準ビームの入射角に対応する入射角で、ススピンドルモータ２１０により所定の速度で回転するホログラフィックディスク２００に到達する。ホログラフィックディスク２００は回折した出力放射線を生成する。出力放射線は絞りプレート１０５によりフィルタリングされた後、対物レンズ１０６により平行になって出力データビームとなる。出力データビームは両面反射部１０３により反射されて検出器１０８に進行し、検出器１０８は出力データビームを電気的信号に変換する。そして、電気的信号は検出器１０８から信号処理部１５０に送信される。
【０００６】
図２はホログラフィックディスク２００に記録された連続的なホログラムトラックＢ、Ｃの一部を示す図である。ホログラフィックディスク２００のトラックＢ、Ｃの間隔Ａは、例えばおよそ０．７４μｍであり、ホログラフィックディスク２００に記録されたデータを再生するため、ホログラフィックディスク２００に照射されるレーザービーム（基準ビーム）の直径は数十μｍである。したがって、ターゲットトラックＢに向かう参照光の周辺部は、周囲のトラックＣを照射する。この場合、周辺トラックＣによるクロストークが再生プロセス中に発生する。
【０００７】
回折した出力放射線をフィルタリングしてこのようなクロストークを防止するため、好ましい直径の開口部を有する絞りプレート１０５がホログラフィックディスク２００と対物レンズ１０６との間に配設される。
【発明の開示】
【発明が解決しようとする課題】
【０００８】
しかし、前記した従来のホログラフィックロムシステムは、再生信号の歪みを最小化するため、絞りプレート１０５の開口部中心が対物レンズ１０６の光軸と一致しなければならないという欠点を有する。すなわち、絞りプレート１０５の開口部の中心と対物レンズの光軸を一致させる工程は高精度及び長時間を必要とし、よってホログラフィックロムシステムの製造費用を増大させる。
【０００９】
したがって、本発明の課題は、低費用で周辺トラックによるクロストークを防止することができるホログラフィックロムシステムを提供することにある。
【課題を解決するための手段】
【００１０】
前記課題を解決するため、本発明に係るホログラフィックロムシステムは、出力データビームを生成するため、ホログラフィックディスクから回折した出力放射線をフィルタリングし、平行にするためのレンズ部を備え、前記レンズ部は、出力放射線を平行にするための対物レンズ、及び対物レンズと一体化されているフィルタリングフィルムを有している。
【発明の効果】
【００１１】
本発明によれば、周辺トラックから回折したクロストークビームはフィルタリングフィルムの光不透過領域により遮断されるため、クロストークビームにより発生するクロストークが効果的に防止される。また、従来の絞りプレートの開口部の役割を果たす光透過領域が、対物レンズ上に又は内に光不透過領域を定義することにより、対物レンズ上に又は内に形成できるので、絞りプレートの開口部中心を対物レンズの光軸と一致させる時間消費的工程が不要である。したがって、本発明によると、ピックアップモジュールを組み立てるための時間が相当に減少できるので、ホログラフィックロムシステムの製造費用を低減する。
【発明を実施するための最良の形態】
【００１２】
以下、本発明の好ましい実施形態を添付図面に基づいて説明する。
【００１３】
図３は本発明に係るホログラフィックロムシステムの概略図である。図３に示すように、本発明に係るホログラフィックロムシステムは、スピンドルモータ２１０に着脱可能に装着され、角度多重ホログラムを記録する記録媒体であるホログラフィックディスク２００から光学的にそのホログラムデータを読み取った後、そのホログラムデータに相応する電気的信号を生成するためのピックアップモジュール１００ａと、このピックアップモジュール１００ａからの電気的信号を処理するための信号処理部１５０と、ピックアップモジュール１００ａ及びスピンドルモータ２１０を制御するための制御部３００ａとを備えている。
【００１４】
ピックアップモジュール１００ａは、基準ビームを生成するためのレーザ源１０２と、レーザ源１０２から入射された基準ビームを反射部１０４に向けて反射するための、又はホログラフィックディスク２００から読み出された出力放射線を検出器１０８に向けて反射するための両面反射部１０３と、この両面反射部１０３からの基準ビームをホログラフィックディスク２００に向けて反射するための反射部１０４と、ホログラフィックディスク２００のターゲットトラックからホログラムデータを読み出す際に、ターゲットトラックの周辺のトラックから余分に読み出された信号（クロストーク）を除去するため、ホログラフィックディスク２００から回折した出力放射線をフィルタリングするとともに出力放射線を平行にすることにより出力データビームを生成するレンズ部４００と、出力データビームに対応して電気的信号を生成するための検出器１０８と、ホログラフィックディスク２００に対して半径方向にピックアップモジュール１００ａをスライド運動させるためのアクチュエータ１０１と、ホログラフィックディスク２００に対してレンズ部４００の垂直位置を調整するためのレンズアクチュエータ１０７とを備えている。アクチュエータ１０１及びレンズアクチュエータ１０７は制御部３００により制御される。
【００１５】
図４はレンズ部４００を示す図である。レンズ部４００は、出力放射線を平行にするための対物レンズと、周辺トラックから回折したクロストークビーム（望まない信号ビーム）４２０がレンズ部４００を通過することを防止するフィルタリングフィルムとを有する。フィルタリングフィルムは、例えば、対物レンズの片面又は両面にコートされる又は対物レンズ内に埋め込まれることにより、対物レンズと一体化される。
【００１６】
フィルタリングフィルムは、対物レンズの表面大部分を覆い、クロストークビーム４２０を遮断するための光不透過領域４００ｂと、対物レンズの中心部に配置され、所望の再生信号光４１０がレンズ部４００を通過するようにする光透過領域４００ａとを有している。光透過領域４００ａは、例えば、フィルタリングフィルムに開口部を形成することにより設けられる。
【００１７】
また、光透過領域４００ａは矩形状に形成されており、その幅は所望の再生信号ビーム４１０の幅とほぼ同一又は前記幅より大きく、所望の再生信号ビーム４１０とすぐ傍のクロストークビーム間の間隔Ｄより小さい。したがって、所望の再生信号ビーム４１０はレンズ部４００の対物レンズを通過するが、周辺トラックから再生された信号を有するクロストークビーム４２０は、光透過領域４００ａに対応する対物レンズの四角形部分を除き、対物レンズの表面を覆う光不透過領域４００ｂに遮られるため、レンズ部４００を通過することができない。
【００１８】
再生プロセスの間、レーザ源１０２から生成された基準ビームは、両面反射部１０３及び反射部１０４により反射されて、記録プロセスに使用された基準ビームの入射光に対応する入射角で、スピンドルモータ２１０により設定速度で回転しているホログラフィックディスク２００に到達する。ホログラフィックディスク２００は回折した出力放射線を生成する。出力放射線は、所望の再生信号ビーム４１０と、所望しないクロストークビーム４２０を含む。出力放射線はレンズ部４００に到達する。
【００１９】
レンズ部４００では、クロストークビーム４２０は、フィルタリングフィルムの光不透過領域４００ｂによりフィルタリングされる（遮られる）。また、レンズ部４００では、出力放射線４１０は、フィルタリングフィルムの光透過領域４００ａを通過しレンズ部４００の対物レンズにより平行になって出力データビームとなる。出力データビームは、両面反射部１０３に入射される。出力データビームは両面反射部１０３により検出器１０８に進行し、検出器１０８は出力データビームを電気的信号に変換する。そして、電気的信号は検出器１０８から信号処理部１５０に送信される。
【００２０】
以上で説明したものは、本発明に係るホログラフィックロムシステムを具現するための一つの実施形態に過ぎないもので、本発明は前記実施形態に限定されることなく、本発明の要旨を逸脱しない範囲であれば、種々の変更が可能である。
【図面の簡単な説明】
【００２１】
【図１】従来のホログラフィックロムシステムの概略図である。
【図２】ホログラフィックディスク２００に記録された連続的なホログラムトラックＢ、Ｃの一部を示す図である。
【図３】本発明に係るホログラフィックロムシステムの概略図である。
【図４】レンズ部４００を示す図である。
【符号の説明】
【００２２】
１００ａ    ピックアップモジュール
１０１    アクチュエータ
１０２    レーザ源
１０３    両面反射部
１０４    反射部
１０７    レンズアクチュエータ
１０８    検出器
１５０    信号処理部
２００    ホログラフィックディスク
２１０    スピンドルモータ
３００ａ  制御部
４００    レンズ部
４００ａ  光透過領域
４００ｂ  光不透過領域
４１０    再生信号ビーム
４２０    クロストークビーム
【図１】
2004362751.tif 000003
【図２】
2004362751.tif 000004
【図３】
2004362751.tif 000005
【図４】
2004362751.tif 000006
【手続補正書】
【提出日】平成16年5月14日(2004.5.14)
【手続補正１】
【補正対象書類名】特許請求の範囲
【補正対象項目名】全文
【補正方法】変更
【補正の内容】
【特許請求の範囲】
【請求項１】
ホログラフィックロムシステムにおいて、
出力データビームを生成するため、ホログラフィックディスクから回折した出力放射線をフィルタリングし、平行にするためのレンズ部を備え、前記レンズ部は、出力放射線を平行にするための対物レンズ、及び対物レンズと一体化されているフィルタリングフィルムを有することを特徴とするホログラフィックロムシステム。
【請求項２】
前記フィルタリングフィルムは、少なくとも一つのクロストークビームを遮断するための光不透過領域と、再生信号ビームを通過させる光透過領域とを含むことを特徴とする請求項１に記載のホログラフィックロムシステム。
【請求項３】
前記光透過領域は対物レンズの光軸と一致することを特徴とする請求項２に記載のホログラフィックロムシステム。
【請求項４】
前記光透過領域は、その幅が前記再生信号ビームの幅とほぼ同一又は前記幅より大きく、前記再生信号ビームとこの再生信号ビームのすぐ傍のクロストークビームとの間の間隔より小さいことを特徴とする請求項３に記載のホログラフィックロムシステム。
【請求項５】
前記光透過領域は、前記フィルタリングフィルムに形成された開口部であることを特徴とする請求項４に記載のホログラフィックロムシステム。
【請求項６】
前記フィルタリングフィルムは前記対物レンズの表面にコーティングされていることを特徴とする請求項５に記載のホログラフィックロムシステム。
【請求項７】
前記フィルタリングフィルムは前記対物レンズ内に埋め込まれていることを特徴とする請求項５に記載のホログラフィックロムシステム。